(57)【要約】  【課題】冷蔵庫の人体検知機能を警報を発する防犯機能としても利用することで、人体検知機能の利用効果を拡大させる冷蔵庫を提供することを目的とする。  【解決手段】本発明の冷蔵庫は、冷蔵庫に人の存在を検知する人体検知センサ７を配設したものにおいて、深夜あるいは不在時に人を検知すると警報２８を発するようにしたものであり、侵入者を威嚇し退散させることができ、防犯効果を高めることができる。【選択図】図３
2010181066.tif 000002
【特許請求の範囲】
【請求項１】
断熱箱体からなる冷蔵庫に人の存在を検知する人体検知センサを配設したものにおいて、深夜あるいは不在時に前記人体検知センサが人を検知すると警報を発する防犯手段を備えたことを特徴とする冷蔵庫。
【請求項２】
前記防犯手段の作動時間帯を設定する時間設定入力手段を備えたことを特徴とする請求項１に記載の冷蔵庫。
【請求項３】
前記防犯手段の作動時間帯における警報の発生回数と発生時刻とを記憶する警報記憶手段を備え、使用者が警報の履歴を確認できるようにしたことを特徴とする請求項１または２に記載の冷蔵庫。
【請求項４】
前記防犯手段の警報の履歴確認に利用するディスプレイを備えたことを特徴とする請求項１〜３のいずれか１項に記載の冷蔵庫。
【発明の詳細な説明】
【技術分野】
【０００１】
本発明は人の存在を検知する人体検知センサを備えた冷蔵庫に関するものである。
【背景技術】
【０００２】
近年、冷蔵庫の電子化に伴い、使用者に対して冷蔵庫に関する各種情報（例えば、異常発生、伝言メモ等）をスピーカを介して報知する冷蔵庫が製品化されるに至っており、その各種情報の報知タイミングの手段として人体検知センサの適用が考えられている（例えば、特許文献１参照）。
【０００３】
図５は、特許文献１に記載された従来の冷蔵庫の構成を示すものである。
【０００４】
図５に示すように、冷蔵庫１は、上方から冷蔵室２、野菜室３、製氷室４、冷凍室５が設けられており、製氷室４に隣接して庫内温度の設定切替え可能な切替室６が配設されている。冷蔵室２の前面には開閉式の冷蔵室扉２ａが設けられ、野菜室３、製氷室４、冷凍室５、切替室６にはそれぞれ引出式の扉３ａ、４ａ、５ａ、６ａが設けられている。
【０００５】
また、図示してないが、各扉には扉の開放状態が一定時間以上続くと異常を検知する扉開閉センサ２ｂ、３ｂ、４ｂ、５ｂ、６ｂが設けられており、冷蔵室２内、製氷室４内、切替室６内には各庫内の設定温度が設定値以上になると異常を検知する温度センサ２ｃ、４ｃ、６ｃが設けられている。
【０００６】
冷蔵室２の上部には、人体検知手段として機能する例えば赤外線センサ等で構成される人体検知センサ７が設けられている。冷蔵庫扉２ａの前面下部には、冷蔵庫１の運転状態等を表示する例えば液晶ディスプレイ２１で構成される操作パネル２０が嵌め込まれており、その操作パネル２０には再生スイッチ２２、録音スイッチ２３、時間設定スイッチ２４、音声選択スイッチ２５、更にマイク２６、スピーカ２７及びブザー２８が設けられている。また、図示していないが、冷蔵室２の背面上部には、各種センサ及びスイッチ等の制御を行うマイクロコンピュータ８０等から構成される制御装置が配設されている。
【０００７】
以上の構成により、冷蔵庫１に人体検知センサ７を設けることで、冷蔵庫１近傍で人の存在を検知すると自動的に異常あるいは伝言等を音声報知するので、人が存在するか否かに拘らず報知することをなくし、的確な音声報知を行うことができる。
【特許文献１】特開２００３−２８５５０号公報
【発明の開示】
【発明が解決しようとする課題】
【０００８】
従来の冷蔵庫では、人体検知機能を伝言や異常時の報知等に利用されているが、人体検知機能の付加によるコストアップに見合う効果が十分ではなかった。
【０００９】
本発明は、上記従来の課題を解決するもので、人体検知機能を警報を発する防犯機能としても利用することで、人体検知機能の利用効果を拡大させる冷蔵庫を提供することを目的とする。
【課題を解決するための手段】
【００１０】
上記従来の課題を解決するために、本発明の冷蔵庫は、冷蔵庫に人の存在を検知する人体検知センサを配設したものにおいて、深夜あるいは不在時に人を検知すると警報を発するようにしたものである。
【００１１】
これによって、深夜あるいは不在時に侵入者を検知すると警報を発するので、侵入者を威嚇し退散させることができ、防犯効果を高めることができる。
【発明の効果】
【００１２】
本発明の冷蔵庫は、人体検知機能を伝言や機器の異常時の報知に利用すると共に、深夜あるいは不在時の侵入者を検知して警報を発する防犯機能としても活用することで、人体検知機能の利用効果を拡大することができる。
【発明を実施するための最良の形態】
【００１３】
請求項１に記載の発明は、断熱箱体からなる冷蔵庫に人の存在を検知する人体検知センサを配設したものにおいて、深夜あるいは不在時に前記人体検知センサが人を検知すると警報を発する防犯手段を備えたことにより、侵入者を威嚇し退散させるといった防犯機能としても活用でき、人体検知機能の利用効果を拡大させることができる。
【００１４】
請求項２に記載の発明は、前記防犯手段の作動時間帯を設定する時間設定入力手段を備えたことにより、深夜あるいは不在時の時間帯を任意に設定することができ、設定時間帯における侵入者を確実に撃退することができる。
【００１５】
請求項３に記載の発明は、前記防犯手段の作動時間帯における警報の発生回数と発生時刻とを記憶する警報発令記憶手段を備え、使用者が警報の履歴を確認できるようにしたことにより、侵入された形跡のあるときは、家財の有無を確認し、被害のあるときは、警察に物品及び犯行時刻を届出ることで、犯人の検挙あるいは盗難保険の給付を円滑に受けることができる。
【００１６】
請求項４に記載の発明は、前記防犯手段の警報の履歴確認に利用するディスプレイを備えたことにより、履歴を簡単明瞭に短時間で確認することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における冷蔵庫の正面図である。図２は、同実施の形態における冷蔵庫の制御ブロック図である。図３は、同実施の形態における冷蔵庫の防犯手段の制御ブロック図である。図４は、同実施の形態における冷蔵庫のフローチャートである。
【００１９】
図１において、冷蔵庫１は、上方から冷蔵室２、野菜室３、製氷室４、冷凍室５が設けられており、製氷室４に隣接して庫内温度の設定切替え可能な切替室６が配設されている。冷蔵室２の前面には開閉式の冷蔵室扉２ａが設けられ、野菜室３、製氷室４、冷凍室５、切替室６にはそれぞれ引出式の扉３ａ、４ａ、５ａ、６ａが設けられている。
【００２０】
また、図示してないが、各扉には扉の開放状態が一定時間以上続くと異常を検知する扉開閉センサ２ｂ、３ｂ、４ｂ、５ｂ、６ｂが設けられており、冷蔵室２内、製氷室４内、切替室６内には各庫内の設定温度が設定値以上になると異常を検知する温度センサ２ｃ、４ｃ、６ｃが設けられている。
【００２１】
冷蔵室２の上部には、人体検知手段として機能する例えば赤外線センサ等で構成される人体検知センサ７が設けられている。冷蔵庫扉２ａの前面下部には、冷蔵庫１の運転状態等を表示する例えば液晶ディスプレイ２１で構成される操作パネル２０が嵌め込まれており、その操作パネル２０には再生スイッチ２２、録音スイッチ２３、時間設定スイッチ２４、音声選択スイッチ２５、更にマイク２６、スピーカ２７、ブザー２８及び履歴表示スイッチ３０が設けられている。また、図示していないが、冷蔵室２の背面上部には、各種センサ及びスイッチ等の制御を行うマイクロコンピュータ８０等から構成される制御装置が配設されている。
【００２２】
図２に示すように、冷蔵庫１の制御は入力操作部、音声入力部、異常検知部、人体検知部、制御部及び報知部で構成されている。なお以降の説明では、伝言を録音する者を「発信者」、録音された伝言を再生する者を「受信者」とする。
【００２３】
入力操作部は、再生スイッチ２２、録音スイッチ２３、時間設定スイッチ２４、音声選択スイッチ２５で構成される入力機能部位であり、各スイッチの出力は制御部のマイクロコンピュータ８０に接続されている。録音及び再生スイッチ２２及び２３は、それぞれ発信者により伝言を録音される場合及び受信者により伝言が再生される場合に使用するスイッチである。時間設定スイッチ２４は、制御部に内蔵されているタイマ部８２に日時設定すること、並びに人体検知センサ７を駆動させる時間帯の開始時刻や終了時刻を設定するためのスイッチである。
【００２４】
音声選択スイッチ２５は、音声記憶メモリ８１に蓄積されているデータベース化された複数の音声情報の中から使用する音声情報を選択し決定するためのスイッチである。
【００２５】
異常検知部は、扉開閉センサ２ｂ〜６ｂ及び温度センサ２ｃ、４ｃ、６ｃで構成されており、常に扉の開閉状態や庫内温度を監視すると共に異常を検知すると検知信号をマイクロコンピュータ８０に出力する。また、図示していないが冷媒漏れを検知する冷媒漏れセンサ等も異常検知部の１つとして含まれる。制御部は、冷蔵庫全体の動作を制御するマイクロコンピュータ８０、音声記憶メモリ８１、タイマ部８２、設定記憶メモリ８３で構成されている。タイマ部８２は、時計機能を有しており、時間設定スイッチ２４により設定された時間帯の開始時刻から終了時刻までの計時カウントを行うと共に計時カウントが終了するとマイクロコンピュータ８０に終了を示す信号を出力する。
【００２６】
報知部は、ディスプレイ２１、スピーカ２７、ブザー２８で構成される出力機能部位である。ディスプレイ２１は、マイクロコンピュータ８０により管理される各種情報を視認可能に表示し、スピーカ２７は音声報知を行う。また、ブザー２８は主に冷蔵庫１内で発生した異常を報知する場合に用いられる。
【００２７】
図３に示すように、防犯手段９０は、異常検知部である人体検知センサ７と、入力操作部である警報発令の履歴を表示する履歴表示スイッチ３０と防犯手段９０の作動時間帯を入力する時間設定スイッチ２４と、制御部であるマイクロコンピュータ８０と警報記憶メモリ８２と、報知部であるディスプレイ２１とスピーカ２７とブザー２８とから構成されている。
【００２８】
以上のように構成された冷蔵庫について、以下その動作を図４を用いて説明する。
【００２９】
まず、発信者は操作パネル２０に設けられている録音スイッチ２３を押して、マイク２６から伝言を録音する。入力された伝言は音声記憶メモリ８１に記憶される（Ｓ１〜Ｓ２）。
【００３０】
マイクロコンピュータ８０は、発信者自身を検知しないように一定時間経過後に人体検知センサ７の駆動を開始するので、発信者は録音が終了するとその場を離れる（Ｓ３〜Ｓ４）。一定時間経過後、マイクロコンピュータ８０は人体検知センサ７を駆動開始させ、冷蔵庫１近傍の人の存在を監視し始める。人体検知センサ７により人の存在が検知されると、マイクロコンピュータ８０は音声記憶メモリ８１から録音された伝言を抽出して直ちにスピーカ２７に出力し、検知された人に対して音声報知を行う（Ｓ５）。
【００３１】
また、防犯手段９０は、使用者が深夜あるいは不在となる時間を時間設定スイッチ２４を用いて入力することにより機能を開始する。そして設定時間帯における侵入者を人体検知センサ７により監視し、侵入者を検知するとマイクロコンピュータ８０はブザー２８により警報を発し、侵入者を威嚇して退散させる。このとき、予め録音していた警告メッセージをスピーカ２７により再生させると、更に効果的に侵入者を撃退することができる。
【００３２】
そして、起床時あるいは帰宅時に、履歴表示スイッチ３０を押して警報の発生回数と発生時刻とを記憶している警報記憶メモリ８２の内容をディスプレイ２１に表示させ、深夜あるいは不在時における侵入者の有無を確認する。もし侵入された形跡のあるときは家財の有無を確認し、被害のあるときは警察に物品及び犯行時刻を届出ることで犯人の検挙あるいは盗難保険の給付を円滑に受けることができる。
【００３３】
以上のように、本実施の形態においては、冷蔵庫１に人の存在を検知する人体検知センサ７を配設したことにより、冷蔵庫１近傍で人の存在を検知すると自動的に音声報知が行われ、確実に伝言を受け取ることができる。例えば、冷凍食品の解凍を命令した場合は、解凍終了後に人を検知すると終了の音声報知を行うことができるので、使用者に操作終了の旨を確実に伝えることができる。また、防犯手段９０を作動させておくことにより、深夜あるいは不在時に人体検知センサ７が人を検知すると、ブザー２８により警報を発し、外部からの侵入者を威嚇して退散させることができる。
【００３４】
また、上記実施の形態の変形例として、ステップＳ１において発信者による伝言を録音する代わりに、音声選択スイッチ２５で音声記憶メモリ８１に記憶される音声情報の中から適当な音声情報を設定することもできる。例えば、「冷蔵庫におやつが入っています。」という音声情報を設定した場合は、ステップＳ４にて人体検知センサ７が冷蔵庫１近傍で人を検知すると、「冷蔵庫におやつが入っています。」を検知された人に対して報知する。
【００３５】
この変形例によれば、発信者の伝言に代替えして音声記憶メモリ８１に記憶された定型の音声情報を設定しても、上記実施の形態と同様の効果を得ることができる。
【００３６】
また別の変形例として、ステップＳ１において、音声記憶メモリ８１に記憶されている音声情報の中から、例えば、「伝言があります。」という音声情報を設定してから更に発信者による伝言を録音した場合は、ステップＳ４にて人体検知センサ７が冷蔵庫１近傍で人を検知すると「伝言があります。」を報知するので、受信者は操作パネル２０の再生スイッチ２２を押して録音された伝言を再生して聞くことができる。したがって、この変形例によれば、定型の音声情報と発信者が録音した伝言とを組み合わせて設定することでも上記実施の形態と同様の効果を得ることができる。
【００３７】
また、本実施の形態の人体検知センサ７を上下左右方向に駆動させる駆動手段を設けることにより、防犯手段９０の動作時において、より広範囲に侵入者の監視をすることができる。
【００３８】
また、本実施の形態の防犯手段９０を、人体検知センサ７を備えたエアコン等の室内機器に適用することにより、複数の部屋において、侵入者の監視を行うことができ、セキュリティをさらに向上させることができる。
【００３９】
また、本発明の人体検知センサを用いた防犯手段を、冷蔵庫やエアコンと分離して単体の防犯装置として使用すると、従来のビデオカメラを用いた防犯装置のように、時間のかかる映像確認作業を省略することができ、侵入者を音や光で威嚇して何も盗られずに撃退することも可能となる。
【産業上の利用可能性】
【００４０】
以上のように、本発明にかかる冷蔵庫の防犯手段は人の存在を検知する人体検知センサをもつ全ての冷蔵庫、及び空気調和装置等の室内機器に適用できる。
【図面の簡単な説明】
【００４１】
【図１】本発明の実施の形態１における冷蔵庫の正面図
【図２】同実施の形態における冷蔵庫の制御ブロック図
【図３】同実施の形態における冷蔵庫の防犯手段の制御ブロック図
【図４】同実施の形態における冷蔵庫のフローチャート
【図５】従来の冷蔵庫の正面図
【符号の説明】
【００４２】
１    冷蔵庫
７    人体検知センサ
２１  ディスプレイ
２４  時間設定スイッチ（時間設定入力手段）
３０  履歴表示スイッチ
８２  警報記憶メモリ（警報記憶手段）
９０  防犯手段
【図１】
2010181066.tif 000003
【図３】
2010181066.tif 000004
【図２】
2010181066.tif 000005
【図４】
2010181066.tif 000006
【図５】
2010181066.tif 000007